(57)【要約】      （修正有）【課題】自分または外部の音声をいつでも簡単に録音することができる指輪型録音機を提供する。【解決手段】指輪型録音機１は、ケーシング１００を有する録音機本体部１０と、該録音機本体部１０をユーザの指Ｆに装着するための装着部２０とからなる。そして録音機本体部１０は、音声を入力するマイク部１１と、マイク部１１などを操作するスイッチ部１２と、入力された音声を記憶する音声記憶部と、記憶した音声を外部機器に送信する通信部と、本体部１０の動作状態を表示する表示部１５と、各部を駆動するための電源部と、各部１１〜１５の動作を制御する制御部とを備える。これにより気軽に携帯し得るとともに、録音に係る準備作業が容易になるため、自分または外部の音声をいつでも簡単に録音することができる。【選択図】図２
2014215516.tif 000002
【特許請求の範囲】
【請求項１】
ケーシングを有する録音機本体部と、該録音機本体部をユーザの指に装着するための装着部とからなる指輪型録音機であって、
録音機本体部は、
音声を入力する音声入力手段と、
該音声入力手段を操作するための操作手段と、
前記音声入力手段により入力された音声を記憶する音声記憶手段と、
前記音声記憶手段に記憶された音声を外部機器に送信する通信手段と、
各部を駆動するための電源手段とを備えることを特徴とする指輪型録音機。
【請求項２】
電源状態、録音状態、または通信状態の少なくともいずれかの状態を表示する表示手段が設けられている請求項１に記載の指輪型録音機。
【請求項３】
前記録音機本体部のケーシングは盤状に形成され、
前記ケーシングの上面に前記操作手段が設けられるとともに、前記ケーシングの周面に前記音声入力手段および前記表示手段が設けられている請求項２に記載の指輪型録音機。
【請求項４】
前記ケーシングの上面が光を透過する透光性の装飾層となされるとともに、該装飾層の下側にソーラー発電層が配置されている請求項３に記載の指輪型録音機。
【請求項５】
前記ソーラー発電層の下側に前記音声記憶手段および前記通信手段を有する基板層が配置されている請求項４に記載の指輪型録音機。
【請求項６】
前記装着部は、Ｃ字状の可撓性の金属または合成樹脂からなる請求項１ないし請求項５のいずれかに記載の指輪型録音機。
【請求項７】
前記外部機器は、本指輪型録音機を指に装着したユーザが携帯するスマートフォンである請求項１ないし請求項６のいずれかに記載の指輪型録音機。
【発明の詳細な説明】
【技術分野】
【０００１】
本発明は、ユーザの指に装着され、音声を録音する指輪型録音機に関するものである。
【背景技術】
【０００２】
通常、人は覚えておく必要がある事項を脳に記憶するが、脳に記憶した事項は忘れてし
まうことがある。このため、何らかの方法によって覚えておくべき事項を記録として残す
ことが行われている。例えば、紙にメモをしたり、あるいはＩＣレコーダ等の録音機に音
声を録音すること等が挙げられる（例えば下記特許文献１参照）。また、最近では、スマ
ートフォン等の携帯端末機器に文字や音声を直接入力することによって記録しておくこと
が行われている（例えば下記特許文献２参照）。
【０００３】
このような記録を要する状況は、例えば、接客業等で店員が客からの注文や要望を受ける際や、両手の自由を確保しておく必要がある様々な作業現場等で記録の必要性が生じる業務的な場面や、個人の日常生活の中で不意に思い付いたり思い出した事項を記録しておく必要性が生じる私的な場面等、様々な場面があり、目的やタイミング等にかかわらず、あらゆる状況において記録が必要な場面に遭遇する可能性がある。
【先行技術文献】
【特許文献】
【０００４】
【特許文献１】特開２０１１−１１４６２３号公報
【特許文献２】特開２００６−７４４３０号公報
【発明の概要】
【発明が解決しようとする課題】
【０００５】
しかしながら、上述のようなあらゆる場面に対応して記録を残すには、紙や筆記具あるいは録音機を常備しておかなければならないという問題があった。しかも、紙や筆記具あるいは録音機を常に手に持っていると手が不自由になるため、かばん等の中に入れて携帯される場合が多い。そうすると、記録を要する場面に咄嗟に遭遇した場合、かばん等から紙や筆記具あるいは録音機を取り出して記録できる状態にするための準備をしなければならないことから、記録に係る準備作業が煩雑であるという問題があった。
【０００６】
本発明は、上述の問題に鑑みてなされたものであって、自分または外部の音声をいつでも簡単に録音することができる指輪型録音機を提供することを目的とする。
【課題を解決するための手段】
【０００７】
本発明は、上記目的を達成するために、ケーシングを有する録音機本体部と、該録音機本体部をユーザの指に装着するための装着部とからなる指輪型録音機に係るものである。本指輪型録音機においては、録音機本体部は、音声を入力する音声入力手段と、該音声入力手段を操作するための操作手段と、前記音声入力手段により入力された音声を記憶する音声記憶手段と、前記音声記憶手段に記憶された音声を外部機器に送信する通信手段と、各部を駆動するための電源手段とを備えることを特徴とする。
【０００８】
これによれば、ユーザは指輪型録音機を指に装着することにより気軽に携帯し得るとともに、録音に係る作業が容易になるため、自分または外部の音声をいつでも簡単に録音することができる。
【０００９】
また、電源状態、録音状態、または通信状態の少なくともいずれかの状態を表示する表示手段が設けられているのが好ましい。これによれば、ユーザは電源状態、録音状態、または通信状態の少なくともいずれかの状態を確認することができる。
【００１０】
また、録音機本体部のケーシングは盤状に形成され、ケーシングの上面に操作手段が設けられるとともに、ケーシングの周面に音声入力手段および表示手段が設けられているのが好ましい。これによれば、ユーザは、ケーシングの上面の操作手段に触れるだけの簡易な操作により音声を録音することができる。また、ユーザは、ケーシングの周面の表示手段を見るだけで、録音状態、電源状態、または通信状態等の動作状態を簡単に確認することができる。
【００１１】
また、ケーシングの上面は光を透過する透光性の装飾層となされるとともに、該装飾層の下側にソーラー発電層が配置されているのが好ましい。これによれば、録音機本体部の上面を装飾しながらも、録音機本体部の内部に配置したソーラー発電層により発電することができる。
【００１２】
また、ソーラー発電層の下側に音声記憶手段および通信手段を有する基板層が配置されているのが好ましい。これによれば、ソーラー発電層と、音声記憶手段および通信手段を有する基盤層とを録音機本体部の内部に省スペースで配置し得るため、録音機本体部の小型化を実現することができる。
【００１３】
また、装着部は、Ｃ字状の可撓性の金属または合成樹脂からなるのが好ましい。これによれば、装着部が各ユーザの指の大きさに追従して変形するため、本指輪型録音機をユーザの指に装着し易くなる。
【００１４】
また、外部機器は、本指輪型録音機を指に装着したユーザが携帯するスマートフォンであるのが好ましい。これによれば、本指輪型録音機に録音した音声をスマートフォンに送信し得るため、ユーザはいつでも簡単に録音した音声を聴いたり、管理することができる。また、それらに加え、メール等のスマートフォンの持つ情報通信機能を使用して他者に録音した音声を手軽に送信することができる。
【発明の効果】
【００１５】
本発明によれば、ユーザは本指輪型録音機を指に装着することにより、ファッションの一部、またはその制約を受けずに気軽に携帯し得るとともに、録音に係る作業が容易になるため、自分または外部の音声をいつでも簡単に録音することができる。このため、接客業等で店員が客からの注文や要望を受ける際や、両手の自由を確保しておく必要がある様々な作業現場等で記録の必要性が生じる業務的な場面や、個人の日常生活の中で不意に思い付いたり思い出した事項を記録しておく必要性が生じる私的な場面等、様々な場面に対応して記録を残すことが可能になる。
【００１６】
また、指輪という常に身に付けておけるサイズや携帯性と、基盤上の通信ロジックを応用し、個人認証等、同ロジックによって実現可能な様々な機能のインターフェイスとして活用できる。
【図面の簡単な説明】
【００１７】
【図１】指輪型録音機を指に装着した状態を示す図である。
【図２】図１の指輪型録音機の分解斜視図である。
【図３】図１の指輪型録音機における録音機本体部の電気的接続を示すブロック図である。
【図４】図１の指輪型録音機と携帯端末機の通信を示す概略図である。
【図５】指輪型録音機における装着部の変形例を示す側面図である。
【発明を実施するための形態】
【００１８】
次に、本発明に係る指輪型録音機の第１の実施形態について図１〜図４を参照しつつ説
明する。
【００１９】
本実施形態に係る指輪型録音機１は、図１に示すように、ケーシング１００を有する録音機本体部（以下本体部という）１０と、該本体部１０をユーザの指（ここでは人差し指）Ｆに装着するための装着部２０とからなる。
【００２０】
前記本体部１０は、図２に示すように、ケーシング１００が円盤状に形成されており、該ケーシング１００の内部にはいずれも薄い円盤状に形成された装飾層１０１、ソーラー発電層１０２、基板層１０３、および電池層１０４が、ケーシング１００の上面側から下面側に向かって順に積層状態で配置されている。
【００２１】
前記装飾層１０１は、ケーシング１００の上面を形成するものであって、光を透過する素材からなり、必要に応じて装飾が施された装飾層となされている。また、この装飾層１０１は上面に後述するスイッチ部１２がタッチセンサー式またはボタン式のスイッチとして設けられている。
【００２２】
前記ソーラー発電層１０２は、装飾層１０１を透過した太陽光等の光を上面で受けるようになっており、後述する電源部１６のソーラー発電部１６１が設けられている。
【００２３】
前記基盤層１０３は、後述する音声記憶部１３、通信部１４および制御部１７が設けられ、各部が集積回路として配置されている。
【００２４】
前記電池層１０４は、後述する電源部１６の電池１６２が設けられている。
【００２５】
そして、上述のような構造を有する本体部１０は、図３に示すように、音声を入力するマイク部（音声入力手段）１１と、該マイク部１１を含む各部を操作するためのスイッチ部（操作手段）１２と、該スイッチ部１２の操作によりマイク部１１から入力された音声を記憶する音声記憶部１３と、該音声記憶部１３に記憶された音声を外部機器（スマートフォン）Ｓに送信する通信部１４と、本体部１０における動作状態を表示する表示部１５と、各部を駆動するための電源部１６と、各部１１〜１６の動作を制御する制御部１７とを備えている。
【００２６】
前記マイク部１１は、図２に示すように、ケーシング１００の周面に設けられており、本体部１０の周囲の音声を取り込むものである。この取り込まれた音声は、制御部１７により電気信号に変換されたあと、音声記憶部１３に記憶される。本実施形態のマイク部１１は、第１マイク１１１と、第２マイク１１２と、第３マイク１１３とを備えており、該第１マイク１１１および第２マイク１１２が音声を各々で取り込むことで音声はステレオで録音される。また第３マイク１１３によって周囲の音声（雑音）を取り込むことでノイズキャンセリングを行うことが可能となる。
【００２７】
前記スイッチ部１２は、タッチセンサー式であれば装飾層１０１の上面、ボタン式であれば装飾層１０１全体を押し込むことが可能な構造で組み込まれ、いずれにおいてもユーザーが装飾層１０１の上面を操作することによってユーザからの種々の操作命令を受け付ける。具体的には、このスイッチ部１２は、電源のＯＮとＯＦＦを切り替える電源状態の切換命令や、録音状態の開始と終了を切り替える録音状態の切換命令や、外部機器Ｓとの通信状態を変更する切換命令を受け付ける。このため、ユーザは、本体上のスイッチ部１２に触れる、もしくは押し込む等の簡易な操作により、電源ＯＮ／ＯＦＦ状態の切り替え、音声の録音の開始と終了、および外部機器Ｓとの通信状態の変更を行うことができる。
【００２８】
前記音声記憶部１３は、図３に示すように、基板層１０３に設けられており、マイク部１１から入力され、制御部１７により電気信号に変換された音声を記憶する。この音声記憶部１３は、制御部１７によって記憶した音声を読み出し可能となされている。
【００２９】
前記通信部１４は、音声記憶部１３とともに基板層１０３に設けられており、制御部１７によって音声記憶部１３から読み出された音声を後述の外部機器Ｓに送信する。なお、通信部１４が外部機器Ｓに対して音声を送信する手法としては、ＮＦＣ（Ｎｅａｒ  Ｆｉｅｌｄ  Ｃｏｍｍｕｎｉｃａｔｉｏｎ：ＩＳＯ／ＩＥＣ１８０９）等の近距離無線通信技術が好適に用いられる。これらは、電波が比較的弱いことから、周囲の電子機器に与える影響が少ないため、例えば臨床現場等においても医療機器に影響を与えることを防止することが可能である。
【００３０】
前記表示部１５は、本実施形態では図２に示すように、ケーシング１００の周面に設けられたＬＥＤ素子の点灯および消灯によって本体部１０における動作の状態を表示する。本実施形態の表示部１５は、第１ＬＥＤ１５１、第２ＬＥＤ１５２および第３ＬＥＤ１５３とを備える。このＬＥＤ表示部１５は、第１ＬＥＤ１５１が点灯している場合は電源がＯＮの状態を示す一方、同ＬＥＤが消灯している場合は電源がＯＦＦの状態を示す。また、第２ＬＥＤ１５２が点灯している場合は録音している状態を示す一方、同ＬＥＤが消灯している場合は録音していない状態を示す。また、第３ＬＥＤ１５３が点灯している場合は外部機器Ｓと通信している状態を示す一方、同ＬＥＤが消灯している場合は外部機器Ｓと通信していない状態を示す。これらのＬＥＤ１５１〜１５３を備える表示部１５がケーシング１００の周面に設けられていることにより、ユーザは電源状態、録音状態および通信状態を簡単に確認することができる。
【００３１】
前記電源部１６は、図３に示すように、ソーラー発電層１０２に設けられたソーラー発電部１６１と、電池層１０４に設けられた電池１６２とを備えている。この電源部１６では、装飾層１０１を透過した光を受けてソーラー発電部１６１が発電し、またこのことによって発電した電気を電池層１０４の二次電池である電池１６２が蓄電する。そして、制御部１７によって各部１１〜１７に必要な電気が電池１６２から給電される。
【００３２】
前記制御部１７は、スイッチ部１２の操作によるユーザからの命令や外部機器Ｓからの命令を受信した場合、その命令に基づいて各部１１〜１６を動作させる。
【００３３】
具体的に説明すると、制御部１７は、電源がＯＦＦの状態にあるときに、電源をＯＮに切り替える旨の命令を受信した場合、電源部１６の電気を各部１１〜１５に供給して可動状態にする。また、これとともに第１ＬＥＤ１５１を点灯させて電源がＯＮの状態にあることを表示部１５に表示させる。一方、制御部１７は、電源がＯＮの状態にあるときに、電源をＯＦＦに切り替える旨の命令を受信した場合、電源部１６の電気の供給を終了して各部１１〜１５を停止状態にすると共に、制御部１７自体も待機状態に移行する。また、これとともに第１ＬＥＤ１５１を消灯させて電源がＯＦＦの状態にあることを表示部１５に表示させる。
【００３４】
制御部１７は、録音していない状態にあるときに、録音を開始する旨の命令を受信した場合、マイク部１１を介して音声を取り込み、その音声を電気信号に変換した後に音声記憶部１３に記憶させる。また、これとともに第２ＬＥＤ１５２を点灯させて録音している状態にあることを表示部１５に表示させる。一方、制御部１７は、録音している状態にあるときに、録音を終了する旨の命令を受信した場合、または所定の録音動作を完了した場合、マイク部１１による音声の取り込みおよび音声記憶部１３による記憶を終了させる。また、これとともに第２ＬＥＤ１５２を消灯させて録音していない状態にあることを表示部１５に表示する。
【００３５】
また、制御部１７は、外部機器Ｓと通信していない状態にあるときに、外部機器Ｓと通信を開始する旨の命令を受信した場合、音声記憶部１３に記憶されている音声を読み出して、通信部１４を介して該音声を外部機器Ｓに送信させる。また、これとともに第３ＬＥＤ１５３を点灯させて通信している状態にあることを表示部１５に表示させる。一方、制御部１７は、外部機器Ｓと通信している状態にあるときに、外部機器Ｓとの通信を終了する旨の命令を受信した場合、または外部機器Ｓとの所定の通信動作を完了した場合、通信を終了する。また、これとともに第３ＬＥＤ１５３を消灯させて通信していない状態にあることを表示部１５に表示する。
【００３６】
前記装着部２０は、円形状に形成された環状部材であり、ケーシング１００の下面に対して直立する態様で固定されている。この装着部２０は、ユーザの指Ｆの太さに合わせて大きさが設定されており、指Ｆが挿通された際には適度な装着感でユーザの指Ｆに固定される。これにより、指輪型録音機１が本体部１０を装飾品とした指輪のアクセサリとなされるため、ユーザは気軽に携帯することが可能になる。また、ユーザの指Ｆに本体部１０が配置されていることより、かばん等からわざわざ取り出すなど録音（記録）に係る準備作業を軽減することが可能になる。
【００３７】
次に、本指輪型録音機１の動作について図４を参照しつつ説明する。
【００３８】
(1)本指輪型録音機１は、図１に示すように、装着部２０にユーザの指Ｆが挿通されることによって装着される。
【００３９】
(2)本指輪型録音機１は、制御部１７がスイッチ部１２を介してユーザから電源をＯＮに切り替える旨の命令を受信した場合、電源部１６の電気が各部１１〜１７に供給されて可動状態になるとともに、第１ＬＥＤ１５１が点灯して電源がＯＮの状態にあることが表示される。
【００４０】
(3)本指輪型録音機１は、制御部１７がスイッチ部１２を介してユーザから録音を開始する旨の命令を受信した場合、マイク部１１を介して音声が取り込まれ、その音声が制御部１７によって電気信号に変換された後、音声記憶部１３に記憶される。また、これとともに第２ＬＥＤ１５２が点灯して録音している状態にあることが表示される。
【００４１】
(4)本指輪型録音機１は、制御部１７がスイッチ部１２を介してユーザから録音を終了する旨の命令を受信した場合、または所定の録音動作を完了した場合、マイク部１１による音声の取り込みおよび音声記憶部１３による記憶が終了される。また、これとともに第２ＬＥＤ１５２が消灯して録音していない状態にあることが表示される。
【００４２】
(5)本指輪型録音機１は、制御部１７がスイッチ部１２を介してユーザから外部機器Ｓと通信を開始する旨の命令を受信した場合、または外部機器Ｓからの通信開始命令を受信した場合、音声記憶部１３に記憶されている音声が読み出され、通信部１４を介して外部機器Ｓに送信される。また、これとともに第３ＬＥＤ１５３が点灯して通信している状態にあることが表示される。
【００４３】
(6)本指輪型録音機１は、制御部１７がスイッチ部１２を介してユーザから外部機器Ｓとの通信を終了する旨の命令を受信した場合、または外部機器Ｓとの所定の通信動作が完了した場合、外部機器Ｓとの通信を終了するとともに、第３ＬＥＤ１５３が消灯して通信していない状態にあることが表示される。
【００４４】
(7)本指輪型録音機１は、制御部１７がスイッチ部１２を介してユーザから電源をＯＦＦに切り替える旨の命令を受信した場合、電源部１６からの給電が終了して各部１１〜１５が停止状態になると共に、制御部１７は待機状態に移行する。また、これとともに第１ＬＥＤ１５１が消灯して電源がＯＦＦの状態にあることが表示される。
【００４５】
なお、上記実施形態では、ケーシング１００の形状を円盤状としたが、それ以外の形状でもよく、スイッチ部１２についても本体部１０上のユーザーが操作しやすい位置に設けられていればよい。
【００４６】
また、スイッチ部１２の実装方法についてもタッチセンサー式やボタン式など、本体部１０の形状と構造に合わせて適したものを選択すればよい。
【００４７】
また、マイク部１１がケーシング１００の周面に設けられているものとしたが、本体部１０上のその他の位置に設けられていてもよい。
【００４８】
また、マイク部１１の数についても３つに限らず、機能の多寡に応じて増減してよい。例えばモノラル録音でノイズキャンセリング機能も実装しないのであれば、マイクは１つでよい。
【００４９】
また、表示部１５がケーシング１００の周面に設けられているものとしたが、本体部１０上のその他の位置に設けられていてもよい。
【００５０】
また、表示部１５を３つのＬＥＤ表示部を用いて電源状態、録音状態および通信状態を表示するものとしたが、ＬＥＤ表示部の数を増減することでこれらの状態のいずれか一部、もしくは他の状態を表示するようにしてもよい。
【００５１】
また、表示部１５については、その役割を満たすものであれば、ＬＣＤなど、ＬＥＤとは別の手段でもよい。
【００５２】
また、電源部１６が光によって発電（ソーラー発電）するものとしたが、電池１６２のみを有するものであって、発電する機能を有するものでなくてもよい。なお、この場合はソーラー発電層１０２が不要となると同時に装飾層１０１が透光性である必要はなく、電池１６２についても二次電池ではなく、一次電池でよい。
【００５３】
また、基板層１０３がソーラー発電層１０２の下側に配置されているものとしたが、必ずしもそのように配置されていなくてもよい。同様に１１〜１７を構成する各部材の形状と配置は、ケーシング１００の形状に応じて様々な形態を取る。
【００５４】
また、本事例では外部機器Ｓをスマートフォンとしたが、それ以外の機器であってもよい。
【００５５】
また、装着部２０が円形状に形成されているものとしたが、その他の態様であってもよい。例えば、図５に示すように、指輪型録音機２は、装着部２１がＣ字状の可撓性の金属または合成樹脂からなる。これにより、装着部２１がより柔軟に各ユーザの指Ｆの大きさに追従して変形するため、本指輪型録音機２をユーザの指Ｆに装着し易くなる。また、装着部２０、２１は、Ｓ、Ｍ、Ｌ等のように各種サイズが用意されてもよい。さらに、装着部２０、２１は、本体部１０に脱着可能な構成としてもよい。
【００５６】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５７】
１…指輪型録音機
１０…録音機本体部
１００…ケーシング
１０１…装飾層
１０２…ソーラー発電層
１０３…基盤層
１０４…電池層
１１…マイク部（音声入力手段）
１１１…第１マイク
１１２…第２マイク
１１３…第３マイク
１２…スイッチ部（操作手段）
１３…音声記憶部（音声記憶手段）
１４…通信部（通信手段）
１５…表示部（表示手段）
１５１…第１ＬＥＤ
１５２…第２ＬＥＤ
１５３…第３ＬＥＤ
１６…電源部（電源手段）
１６１…ソーラー発電部
１６２…電池
１７…制御部
２０…装着部
【図１】
2014215516.tif 000003
【図２】
2014215516.tif 000004
【図３】
2014215516.tif 000005
【図４】
2014215516.tif 000006
【図５】
2014215516.tif 000007